(57)【要約】【課題】利便性の高い表示装置の制御方法、表示装置の制御プログラム、および表示装置を提供する。【解決手段】表示装置としてのＰＣ（Ｐｅｒｓｏｎａｌ  Ｃｏｍｐｕｔｅｒ）１００は、ジョブに関する所定の種類の設定項目が配置された基本画面と、設定項目の中から選択された選択設定項目が配置された選択画面とを含む複数の設定画面を表示する。ＰＣは、選択画面における選択設定項目の配置の状態に基づいて、基本画面において設定項目が配置される位置を決定する。【選択図】図１
2018194957.tif 000002
【特許請求の範囲】
【請求項１】
ジョブに関する所定の種類の設定項目が配置された基本画面と、前記設定項目の中から選択された選択設定項目が配置された選択画面とを含む複数の設定画面を表示する表示装置の制御方法あって、
前記選択画面における前記選択設定項目の配置の状態に基づいて、前記基本画面において前記設定項目が配置される位置を決定する基本画面決定ステップを備えた、表示装置の制御方法。
【請求項２】
前記表示装置は、前記基本画面に配置される複数の前記設定項目と、前記基本画面に配置される前記複数の設定項目の各々の前記基本画面における表示の優先度との関係を示す情報である基本画面情報を記憶する記憶装置を備え、
前記制御方法は、
前記選択設定項目が変更された場合に、前記基本画面情報を変更する基本画面情報変更ステップをさらに備え、
前記基本画面情報変更ステップにおいて、前記選択設定項目と関連する前記設定項目の前記基本画面における表示の優先度を上げる、請求項１に記載の表示装置の制御方法。
【請求項３】
前記記憶装置は、互いに関連付けられた複数の前記設定項目の情報である関連項目情報をさらに記憶し、
前記基本画面情報変更ステップにおいて、前記関連項目情報において前記選択設定項目と関連付けられた前記設定項目の前記基本画面における表示の優先度を上げる、請求項２に記載の表示装置の制御方法。
【請求項４】
前記関連項目情報は、互いに関連付けられた複数の前記設定項目の各々の相互の優先度の情報をさらに含む、請求項３に記載の表示装置の制御方法。
【請求項５】
前記複数の設定項目を互いに関連付ける設定を受け付ける関連項目設定受付ステップをさらに備え、
前記記憶装置は、前記関連項目設定受付ステップにて受け付けた設定に基づく前記関連項目情報を記憶する、請求項３または４に記載の表示装置の制御方法。
【請求項６】
前記記憶装置は、前記選択設定項目と、前記選択設定項目と関連する前記設定項目の前記基本画面における表示の優先度との関係を示す情報である関連項目優先度情報をさらに記憶し、
前記基本画面情報および前記関連項目情報のうち少なくともいずれか一方が変更された場合に、前記基本画面情報および前記関連項目情報に基づいて前記関連項目優先度情報を変更する関連項目優先度情報変更ステップをさらに備え、
前記関連項目優先度情報変更ステップにおいて、前記選択設定項目と関連する前記設定項目の前記基本画面における表示の優先度を上げる、請求項３〜５のいずれかに記載の表示装置の制御方法。
【請求項７】
前記基本画面情報変更ステップにおいて、さらに、前記選択設定項目の前記基本画面における表示の優先度を下げる、請求項２〜６のいずれかに記載の表示装置の制御方法。
【請求項８】
前記記憶装置は、複数の前記選択設定項目と、前記複数の選択設定項目の各々の前記選択画面における表示の優先度との関係を示す情報である選択画面情報をさらに記憶し、
前記複数の選択設定項目の選択と、前記複数の選択設定項目の各々の前記選択画面における表示の優先度の設定とを受け付ける選択受付ステップと、
前記選択受付ステップにて受け付けた内容に従って、前記選択画面情報を変更する選択画面情報変更ステップとをさらに備えた、請求項２〜７のいずれかに記載の表示装置の制御方法。
【請求項９】
前記選択画面情報変更ステップにおいて、前記設定項目の使用頻度に基づいて前記選択画面情報を変更する、請求項８に記載の表示装置の制御方法。
【請求項１０】
前記選択画面における前記複数の選択設定項目の配置形式の情報である選択画面配置形式情報を設定する入力を受け付ける選択画面配置形式情報受付ステップと、
前記選択画面情報と、前記選択画面配置形式情報とに基づいて、前記選択画面において前記選択設定項目が配置される位置を決定する選択画面決定ステップとをさらに備えた、請求項８または９に記載の表示装置の制御方法。
【請求項１１】
前記基本画面における前記設定項目の配置形式の情報である基本画面配置形式情報を設定する入力を受け付ける基本画面配置形式情報受付ステップをさらに備え、
前記基本画面決定ステップにおいて、前記基本画面配置形式情報にさらに基づいて、前記基本画面において前記設定項目が配置される位置を決定する、請求項１〜１０のいずれかに記載の表示装置の制御方法。
【請求項１２】
前記選択画面における前記選択設定項目の配置の状態は、前記選択設定項目の種類および前記選択画面に配置される前記選択設定項目の位置のうち少なくともいずれか一方を含む、請求項１〜１１のいずれかに記載の表示装置の制御方法。
【請求項１３】
請求項１〜１２のいずれかに記載の表示装置の制御方法を実行するための、表示装置の制御プログラム。
【請求項１４】
ジョブに関する所定の種類の設定項目が配置された基本画面と、前記設定項目の中から選択された選択設定項目が配置された選択画面とを含む複数の設定画面を表示する表示装置あって、
前記選択画面における前記選択設定項目の配置の状態に基づいて、前記基本画面において前記設定項目が配置される位置を決定する基本画面決定を備えた、表示装置。
【発明の詳細な説明】
【技術分野】
【０００１】
本発明は、表示装置の制御方法、表示装置の制御プログラム、および表示装置に関する。より特定的には、本発明は、ジョブに関する所定の種類の設定項目が配置された基本画面を表示する表示装置の制御方法、表示装置の制御プログラム、および表示装置に関する。
【背景技術】
【０００２】
電子写真式の画像形成装置には、スキャナー機能、ファクシミリ機能、複写機能、プリンターとしての機能、データ通信機能、およびサーバー機能を備えたＭＦＰ（Ｍｕｌｔｉ  Ｆｕｎｃｔｉｏｎ  Ｐｅｒｉｐｈｅｒａｌ）、ファクシミリ装置、複写機、プリンターなどがある。
【０００３】
ユーザーが画像形成装置で印刷を実行する場合、ユーザーは、ＰＣ（Ｐｅｒｓｏｎａｌ  Ｃｏｍｐｕｔｅｒ）上でプリンタードライバーと呼ばれる制御プログラムを用いて、印刷条件に関する各設定項目を所望の設定値に設定して、画像形成層装置に対して印刷の実行指示を行う。画像形成装置の性能が向上し、さまざまな印刷条件を設定することができるようになるにつれて、プリンタードライバーにおける設定項目は増加する傾向にある。
【０００４】
プリンタードライバーの設定画面の視認性および操作性を確保しつつ、多数の設定項目の設定を受付可能とするために、近年のプリンタードライバーの設定画面では、複数の設定項目が関連する機能ごとに複数の設定画面に区分されており、複数の設定画面がタブにより切り替えて表示される。ユーザーがこの種のプリンタードライバーの設定画面を用いて複数の印刷条件を設定する場合、ユーザーは、タブを押下して所望の設定項目を含む設定画面を表示させ、所望の設定項目の設定を行う操作を繰り返す必要があり、印刷条件を設定する操作が複雑になっていた。
【０００５】
そこで、ユーザーの操作を容易にするために、ユーザーが頻繁に使用する設定項目を登録し、登録された設定項目を集約画面に集約して表示させる技術が、下記特許文献１および２などに提案されている。
【０００６】
下記特許文献１には、ユーザーの操作により固定タブ内の項目を編集可能タブ（Ｍｙタブ）へ自由に配置可能とすることで、操作性を向上する技術が提案されている。
【０００７】
下記特許文献２には、複数のユーザーによる複数の印刷処理の設定項目の使用頻度を格納した使用頻度情報を情報管理サーバーから取得し、取得した使用頻度情報に基づいて、使用頻度がより高くなると優先度がより高い配置位置となるように設定項目に対応するアイコン画像を配置させ、配置されたアイコン画像をツールバーとして表示する技術が開示されている。
【先行技術文献】
【特許文献】
【０００８】
【特許文献１】特開２０１０−１６５３００号公報
【特許文献２】特開２０１２−０８４０４５号公報
【発明の概要】
【発明が解決しようとする課題】
【０００９】
従来の技術では、高い使用頻度の設定項目が集約画面に配置されるので、ユーザーは高い使用頻度の設定項目を集約画面において一括して設定を行うことが可能である。一方でユーザーは、集約画面に配置された設定項目以外の設定項目については、通常の設定画面（集約画面以外の設定画面）において設定する必要がある。しかし、通常の設定画面における設定項目の位置は固定されており、ユーザーは変更することができない。このため、ユーザーは集約画面に配置するまでもない設定項目を設定する際には、通常の設定画面内の多数の設定項目の中から必要な設定項目を探す必要があり、利便性が低かった。
【００１０】
本発明は、上記課題を解決するためのものであり、その目的は、利便性の高い表示装置の制御方法、表示装置の制御プログラム、および表示装置を提供することである。
【課題を解決するための手段】
【００１１】
本発明の一の局面に従う表示装置の制御方法は、ジョブに関する所定の種類の設定項目が配置された基本画面と、設定項目の中から選択された選択設定項目が配置された選択画面とを含む複数の設定画面を表示する表示装置の制御方法あって、選択画面における選択設定項目の配置の状態に基づいて、基本画面において設定項目が配置される位置を決定する基本画面決定ステップを備える。
【００１２】
上記制御方法において好ましくは、表示装置は、基本画面に配置される複数の設定項目と、基本画面に配置される複数の設定項目の各々の基本画面における表示の優先度との関係を示す情報である基本画面情報を記憶する記憶装置を備え、制御方法は、選択設定項目が変更された場合に、基本画面情報を変更する基本画面情報変更ステップをさらに備え、基本画面情報変更ステップにおいて、選択設定項目と関連する設定項目の基本画面における表示の優先度を上げる。
【００１３】
上記制御方法において好ましくは、記憶装置は、互いに関連付けられた複数の設定項目の情報である関連項目情報をさらに記憶し、基本画面情報変更ステップにおいて、関連項目情報において選択設定項目と関連付けられた設定項目の基本画面における表示の優先度を上げる。
【００１４】
上記制御方法において好ましくは、関連項目情報は、互いに関連付けられた複数の設定項目の各々の相互の優先度の情報をさらに含む。
【００１５】
上記制御方法において好ましくは、複数の設定項目を互いに関連付ける設定を受け付ける関連項目設定受付ステップをさらに備え、記憶装置は、関連項目設定受付ステップにて受け付けた設定に基づく関連項目情報を記憶する。
【００１６】
上記制御方法において好ましくは、記憶装置は、選択設定項目と、選択設定項目と関連する設定項目の基本画面における表示の優先度との関係を示す情報である関連項目優先度情報をさらに記憶し、基本画面情報および関連項目情報のうち少なくともいずれか一方が変更された場合に、基本画面情報および関連項目情報に基づいて関連項目優先度情報を変更する関連項目優先度情報変更ステップをさらに備え、関連項目優先度情報変更ステップにおいて、選択設定項目と関連する設定項目の基本画面における表示の優先度を上げる。
【００１７】
上記制御方法において好ましくは、基本画面情報変更ステップにおいて、さらに、選択設定項目の基本画面における表示の優先度を下げる。
【００１８】
上記制御方法において好ましくは、記憶装置は、複数の選択設定項目と、複数の選択設定項目の各々の選択画面における表示の優先度との関係を示す情報である選択画面情報をさらに記憶し、複数の選択設定項目の選択と、複数の選択設定項目の各々の選択画面における表示の優先度の設定とを受け付ける選択受付ステップと、選択受付ステップにて受け付けた内容に従って、選択画面情報を変更する選択画面情報変更ステップとをさらに備える。
【００１９】
上記制御方法において好ましくは、選択画面情報変更ステップにおいて、設定項目の使用頻度に基づいて選択画面情報を変更する。
【００２０】
上記制御方法において好ましくは、選択画面における複数の選択設定項目の配置形式の情報である選択画面配置形式情報を設定する入力を受け付ける選択画面配置形式情報受付ステップと、選択画面情報と、選択画面配置形式情報とに基づいて、選択画面において選択設定項目が配置される位置を決定する選択画面決定ステップとをさらに備える。
【００２１】
上記制御方法において好ましくは、基本画面における設定項目の配置形式の情報である基本画面配置形式情報を設定する入力を受け付ける基本画面配置形式情報受付ステップをさらに備え、基本画面決定ステップにおいて、基本画面配置形式情報にさらに基づいて、基本画面において設定項目が配置される位置を決定する。
【００２２】
上記制御方法において好ましくは、選択画面における選択設定項目の配置の状態は、選択設定項目の種類および選択画面に配置される選択設定項目の位置のうち少なくともいずれか一方を含む。
【００２３】
本発明の他の局面に従う表示装置の制御プログラムは、上述の表示装置の制御方法を実行するためのものである。
【００２４】
本発明のさらに他の局面に従う表示装置は、ジョブに関する所定の種類の設定項目が配置された基本画面と、設定項目の中から選択された選択設定項目が配置された選択画面とを含む複数の設定画面を表示する表示装置あって、選択画面における選択設定項目の配置の状態に基づいて、基本画面において設定項目が配置される位置を決定する基本画面決定を備える。
【発明の効果】
【００２５】
本発明によれば、利便性の高い表示装置の制御方法、表示装置の制御プログラム、および表示装置を提供することができる。
【図面の簡単な説明】
【００２６】
【図１】本発明の一実施の形態における画像形成システムの構成を概念的に示す図である。
【図２】本発明の一実施の形態におけるプリンタードライバー１２０の機能的構成を示すブロック図である。
【図３】本発明の一実施の形態において、ＰＣ１００の表示部１０７に表示されるその他タブ画面ＳＣ１を示す図である。
【図４】本発明の一実施の形態において記憶装置１０４が記憶する配置形式テーブルＴＬ１を示す図である。
【図５】本発明の一実施の形態において、ＰＣ１００の表示部１０７に表示される集約タブ画面の編集画面ＳＣ２を示す図である。
【図６】本発明の一実施の形態において記憶装置１０４が記憶する集約タブ画面テーブルＴＬ２を示す図である。
【図７】本発明の一実施の形態の集約タブ画面における選択設定項目の配置形式の設定と、選択設定項目が配置される位置との関係を示す図である。
【図８】本発明の一実施の形態において、ＰＣ１００の表示部１０７に表示される集約タブ画面ＳＣ３を示す図である。
【図９】本発明の一実施の形態において、ＰＣ１００の表示部１０７に表示される関連項目の編集画面ＳＣ４を示す図である。
【図１０】本発明の一実施の形態において記憶装置１０４が記憶する関連項目テーブルＴＬ３を示す図である。
【図１１】本発明の一実施の形態において記憶装置１０４が記憶する関連項目優先度テーブルＴＬ４を示す図である。
【図１２】本発明の一実施の形態において記憶装置１０４が記憶する基本画面テーブルＴＬ５を示す図である。
【図１３】本発明の一実施の形態において、ＰＣ１００の表示部１０７に表示されるレイアウトタブ画面ＳＣ５を示す図である。
【図１４】本発明の一実施の形態におけるＰＣ１００の動作を示すフローチャートである。
【発明を実施するための形態】
【００２７】
以下、本発明の一実施の形態について、図面に基づいて説明する。
【００２８】
以下の実施の形態では、表示装置がＰＣであり、ジョブを実行する機器がＭＦＰである場合について説明する。表示装置は、ジョブに関する設定項目が配置された複数の設定画面を表示するものであればよく、ＰＣの他、携帯電話、スマートフォン、およびタブレット端末などであってもよい。ジョブを実行する機器は、プリンター、複写機、またはファクシミリなどの、ＭＦＰ以外の画像形成装置であってもよいし、スキャナーなどの画像形成装置以外の機器であってもよい。さらに、表示装置自体がジョブを実行する機器であってもよい。
【００２９】
［画像形成システムの構成］
【００３０】
始めに、本実施の形態における画像形成システムの構成について説明する。
【００３１】
図１は、本発明の一実施の形態における画像形成システムの構成を概念的に示す図である。
【００３２】
図１を参照して、本実施の形態における画像形成システムは、ＰＣ１００（表示装置の一例）と、複数のＭＦＰ２００とを備えている。ＰＣ１００と複数のＭＦＰ２００の各々とは、ネットワーク３００を通じて相互に接続されており、相互に通信を行うことが可能である。
【００３３】
ネットワーク３００は、たとえば有線または無線のＬＡＮ（Ｌｏｃａｌ  Ａｒｅａ  Ｎｅｔｗｏｒｋ）などの専用回線を用いたものである。ネットワーク３００は、ＴＣＰ／ＩＰ（Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）のプロトコルを用いて各種機器を接続する。
【００３４】
ＰＣ１００は、ＣＰＵ１０１と、ＲＯＭ１０２と、ＲＡＭ１０３と、記憶装置１０４と、通信部１０５と、操作部１０６と、表示部１０７などを含んでいる。ＣＰＵ１０１には、ＲＯＭ１０２、ＲＡＭ１０３、記憶装置１０４、通信部１０５、操作部１０６、および表示部１０７の各々がバスを介して接続されている。
【００３５】
ＣＰＵ１０１は、ＰＣ１００全体の制御を行う。またＣＰＵ１０１は、ＲＯＭ１０２に記憶された制御プログラムを実行する。
【００３６】
ＲＯＭ１０２は、たとえばフラッシュＲＯＭである。ＲＯＭ１０２には、ＣＰＵ１０１が実行する各種プログラムと、各種固定データとが格納されている。
【００３７】
ＲＡＭ１０３は、ＣＰＵ１０１のメインメモリである。ＲＡＭ１０３は、ＣＰＵ１０１が制御プログラムを実行するときに必要なデータなどを一時的に記憶するためなどに用いられる。
【００３８】
記憶装置１０４は、たとえばＨＤＤ（Ｈａｒｄ  Ｄｉｓｋ  Ｄｒｉｖｅ）よりなっており、プリンタードライバー１２０のプログラムなどの各種データを記憶する。
【００３９】
通信部１０５は、ＣＰＵ１０１からの指示に従って、ＴＣＰ／ＩＰなどの通信プロトコルによって他の機器との通信を行う。
【００４０】
操作部１０６は、ユーザーから各種指示を受け付ける。
【００４１】
表示部１０７は、各種情報を表示する。
【００４２】
図２は、本発明の一実施の形態におけるプリンタードライバー１２０の機能的構成を示すブロック図である。
【００４３】
図２を参照して、プリンタードライバー１２０は、ＰＣ１００のＯＳ（Ｏｐｅｒａｔｉｎｇ  Ｓｙｓｔｅｍ）上にインストールされ、印刷ジョブを生成するソフトウェアである。プリンタードライバー１２０は、ユーザーインターフェースを介して、対応するＭＦＰ２００に搭載された機能を利用するための印刷条件の設定を受け付け、設定に従って印刷ジョブを作成してＭＦＰ２００に送信する。プリンタードライバー１２０は、印刷条件提供部１２１と、印刷データ生成部１２２とを含んでいる。
【００４４】
印刷条件提供部１２１は、印刷条件の設定を受け付ける複数の設定画面（ＧＵＩ）を提供する。印刷条件提供部１２１は、プリンタードライバー１２０の画面においてタブの押下を受け付けた場合に、そのタブに対応する設定画面を表示する。
【００４５】
印刷条件提供部１２１が表示する複数の設定画面は、印刷ジョブに関する所定の種類の設定項目が配置された基本画面と、基本画面に配置される設定項目の中から選択された設定項目（以降、選択設定項目と記すことがある）が配置された集約タブ画面（選択画面の一例）とを含んでいる。印刷条件提供部１２１は、設定画面を通じて設定された印刷条件を印刷データ生成部１２２に送信する。
【００４６】
印刷条件提供部１２１は、表示制御部１３１と、集約タブ画面テーブル管理部１３２と、関連項目テーブル管理部１３３と、関連項目優先度テーブル管理部１３４と、基本画面テーブル管理部１３５と、配置形式記憶部１３６と、入力受付部１３７とを含んでいる。
【００４７】
表示制御部１３１は、表示する設定画面の制御を行う。
【００４８】
集約タブ画面テーブル管理部１３２は、後述する集約タブ画面テーブルＴＬ２（選択画面情報の一例）の管理を行う。
【００４９】
関連項目テーブル管理部１３３は、後述する関連項目テーブルＴＬ３（関連項目情報の一例）の管理を行う。
【００５０】
関連項目優先度テーブル管理部１３４は、後述する関連項目優先度テーブルＴＬ４（関連項目優先度情報の一例）の管理を行う。
【００５１】
基本画面テーブル管理部１３５は、後述する基本画面テーブルＴＬ５（基本画面情報の一例）の管理を行う。
【００５２】
配置形式記憶部１３６は、後述する配置形式テーブルＴＬ１（選択画面配置形式情報および基本画面配置形式情報の一例）の管理を行う。
【００５３】
入力受付部１３７は、設定画面に対する各種入力を受け付ける。
【００５４】
印刷データ生成部１２２は、ＯＳ上にインストールされたアプリケーションで作成された文書ファイルに基づいて、対応するＭＦＰ２００で処理可能な形式の印刷ジョブを生成し、対応するＭＦＰ２００に送信する。
【００５５】
［ＰＣに表示されるプリンタードライバーの画面］
【００５６】
次に、本実施の形態において、プリンタードライバー１２０が起動された場合にＰＣ１００の表示部１０７に表示される画面について説明する。
【００５７】
図３は、本発明の一実施の形態において、ＰＣ１００の表示部１０７に表示されるその他タブ画面ＳＣ１を示す図である。
【００５８】
図３を参照して、プリンタードライバー１２０が起動された場合にＰＣ１００の表示部１０７に表示される画面は、タブＴＢ１、ＴＢ２、ＴＢ３、ＴＢ４、ＴＢ５、ＴＢ６、ＴＢ７、およびＴＢ８と、複数の設定画面とを含んでいる。複数の設定画面は、集約タブ画面と、基本設定タブ画面と、レイアウトタブ画面と、仕上げタブ画面と、カバーシート／挿入紙タブ画面と、スタンプ／ページ印字タブ画面と、画像品質タブ画面と、その他タブ画面ＳＣ１とを含んでいる。
【００５９】
集約タブ画面は、タブＴＢ１が押下された場合に表示される設定画面であり、基本画面に含まれる設定項目の中から選択された設定項目である選択設定項目が配置された設定画面である。
【００６０】
集約タブ画面に配置される選択設定項目となる設定項目は、ＰＣ１００のユーザーの使用頻度が高い設定項目である。選択設定項目の種類および集約タブ画面において配置される位置は、ユーザーの設定や使用頻度により適宜変更される。
【００６１】
一方、基本設定タブ画面、レイアウトタブ画面、仕上げタブ画面、カバーシート／挿入紙タブ画面、スタンプ／ページ印字タブ画面、および画像品質タブ画面は、所定の種類の設定項目が配置された基本画面である。
【００６２】
基本設定タブ画面は、タブＴＢ２が押下された場合に表示され、基本的な印刷条件に関する設定項目が配置された設定画面である。
【００６３】
レイアウトタブ画面は、タブＴＢ３が押下された場合に表示され、記録媒体に対して印刷される画像のレイアウトに関する設定項目が配置された設定画面である。
【００６４】
仕上げタブ画面は、タブＴＢ４が押下された場合に表示され、印刷後の記録媒体の後処理に関する設定項目が配置された設定画面である。
【００６５】
カバーシート／挿入紙タブ画面は、タブＴＢ５が押下された場合に表示され、表カバーや裏カバーの挿入に関する設定項目が配置された設定画面である。
【００６６】
スタンプ／ページ印字タブ画面は、タブＴＢ６が押下された場合に表示され、記録媒体に対して印刷される画像のレイアウトに関する設定項目が配置された設定画面である。
【００６７】
画像品質タブ画面は、タブＴＢ７が押下された場合に表示され、画質調整に関する設定項目が配置された設定画面である。
【００６８】
基本画面に配置される設定項目の種類は、それぞれの基本画面において常に同じであり変更されることはない。一方で、それぞれの基本画面に配置される設定項目の位置は適宜変更される。
【００６９】
その他タブ画面ＳＣ１は、タブＴＢ８が押下された場合に表示され、プリンタードライバー１２０の設定画面の表示に関する設定を受け付ける設定画面である。
【００７０】
ここでは、その他タブ画面ＳＣ１が表示されている。その他タブ画面ＳＣ１は、ラジオボタンＲＢ１、ＲＢ２、ＲＢ３、ＲＢ４、およびＲＢ５と、キーＫＹ１、ＫＹ２、ＫＹ３、ＫＹ４、ＫＹ５、およびＫＹ６とを含んでいる。
【００７１】
ところで、設定項目の各々には、その設定項目が配置される設定画面における表示の優先度が設定されている。この優先度は、その設定画面に配置される複数の設定項目の中での表示の優先順位に相当するものである。設定画面に配置される複数の設定項目の各々の表示の優先度は、使用頻度が高い順序になるように、ユーザーの設定や使用頻度により適宜変更される。
【００７２】
それぞれの設定画面では、その設定画面における表示の優先度が高い順に左上から右下に向かって複数の設定項目が配置される。設定画面の左上の位置は最もユーザーの目に付きやすく、設定画面の右下の位置は最もユーザーの目に付きにくいためである。このため、具体的な設定画面の配置形式としては、複数の設定項目の各々を優先度の高い順に左上、右上、左下、右下という順序で配置する配置形式と、左上、左下、右上、右下という順序で配置する配置形式とが存在する。
【００７３】
ラジオボタンＲＢ１およびＲＢ２は、集約タブ画面における選択設定項目の配置形式の設定を受け付ける。ラジオボタンＲＢ１は、集約タブ画面において、複数の選択設定項目の各々を優先度の高い順に左上、右上、左下、右下という順序で配置する配置形式を設定するためのものである。ラジオボタンＲＢ２は、集約タブ画面において、複数の選択設定項目の各々を優先度の高い順に左上、左下、右上、右下という順序で配置する配置形式を設定するためのものである。
【００７４】
ラジオボタンＲＢ３、ＲＢ４、およびＲＢ５は、基本画面における設定項目の配置形式の設定を受け付ける。ラジオボタンＲＢ３は、基本画面において、複数の設定項目の各々を優先度の高い順に左上、右上、左下、右下という順序で配置する配置形式を設定するためのものである。ラジオボタンＲＢ４は、基本画面において、複数の設定項目の各々を優先度の高い順に左上、左下、右上、右下という順序で配置する配置形式を設定するためのものである。ラジオボタンＲＢ５は、基本画面における設定項目の配置位置をデフォルトの位置に固定する配置形式を設定するためのものである。
【００７５】
キーＫＹ１は、集約タブ画面の編集画面ＳＣ２への移行を受け付ける。
【００７６】
キーＫＹ２は、関連項目の編集画面ＳＣ４への移行を受け付ける。
【００７７】
キーＫＹ３は、プリンタードライバー１２０の画面を通じて行った印刷条件の設定値を確定し、ＭＦＰ２００に対して印刷指示を行うするためのＯＫキーである。
【００７８】
キーＫＹ４は、プリンタードライバー１２０の画面を通じて行った印刷条件の設定値をキャンセルするためのキャンセルキーである。
【００７９】
キーＫＹ５は、集約タブ画面および基本画面における設定項目の配置形式の設定を適用するための適用キーである。
【００８０】
キーＫＹ６は、操作方法の説明を表示するためのヘルプキーである。
【００８１】
ＰＣ１００は、キーＫＹ５が押下された場合に、受け付けた集約タブ画面および基本画面における設定項目の配置形式の設定に従って配置形式テーブルＴＬ１を更新する。
【００８２】
図４は、本発明の一実施の形態において記憶装置１０４が記憶する配置形式テーブルＴＬ１を示す図である。
【００８３】
図４を参照して、配置形式テーブルＴＬ１は、集約タブ画面における選択設定項目の配置形式の設定、および基本画面における設定項目の配置形式の設定を記載したテーブルである。ここでは、集約タブ画面および基本画面の配置形式は、いずれも左上、左下、右上、右下という順序で配置する配置形式に設定されている。
【００８４】
［集約タブ画面の設定を受け付ける際の動作］
【００８５】
次に、集約タブ画面の設定を受け付ける際のＰＣ１００の動作について説明する。
【００８６】
図５は、本発明の一実施の形態において、ＰＣ１００の表示部１０７に表示される集約タブ画面の編集画面ＳＣ２を示す図である。
【００８７】
図５を参照して、集約タブ画面の編集画面ＳＣ２は、その他タブ画面ＳＣ１においてキーＫＹ１が押下された場合に表示される画面である。集約タブ画面の編集画面ＳＣ２は、選択設定項目（集約タブ画面に配置される設定項目）の種類の設定と、選択設定項目の集約タブ画面における表示の優先度の設定とを受け付ける画面である。集約タブ画面の編集画面ＳＣ２は、タブＴＢ１１、ＴＢ１２、ＴＢ１３、ＴＢ１４、ＴＢ１５、およびＴＢ１６と、表示エリアＡＲ１およびＡＲ２と、キーＫＹ１１、ＫＹ１２、ＫＹ１３、ＫＹ１４、ＫＹ１５、ＫＹ１６、ＫＹ１７、ＫＹ１８とを含んでいる。
【００８８】
タブＴＢ１１、ＴＢ１２、ＴＢ１３、ＴＢ１４、ＴＢ１５、およびＴＢ１６は、対応する基本画面に配置される設定項目を表示エリアＡＲ１に表示するためのタブである。タブＴＢ１１、ＴＢ１２、ＴＢ１３、ＴＢ１４、ＴＢ１５、およびＴＢ１６の各々は、それぞれ基本設定タブ画面、レイアウトタブ画面、仕上げタブ画面、カバーシート／挿入紙タブ画面、スタンプ／ページ印字タブ画面、および画像品質タブ画面に対応している。
【００８９】
表示エリアＡＲ１は、選択設定項目の候補となる設定項目が表示されるエリアである。表示エリアＡＲ１に表示される設定項目は、スクロールバーＳＢ１によってスクロールすることが可能である。
【００９０】
表示エリアＡＲ２は、選択設定項目が表示されるエリアである。表示エリアＡＲ２内には、集約タブ画面における表示の優先度の高い順に上から下に選択設定項目が表示される。
【００９１】
表示エリアＡＲ１およびＡＲ２の各々に表示された設定項目は、選択することが可能である。
【００９２】
キーＫＹ１１は、表示エリアＡＲ１内で選択されている設定項目を表示エリアＡＲ２に追加するための追加キーである。
【００９３】
キーＫＹ１２は、表示エリアＡＲ２内で選択されている選択設定項目を表示エリアＡＲ２から削除するための削除キーである。
【００９４】
キーＫＹ１３は、表示エリアＡＲ２内で選択されている選択設定項目の優先度（表示位置）を１つ上げるためのキーである。
【００９５】
キーＫＹ１４は、表示エリアＡＲ２内で選択されている選択設定項目の優先度を１つ下げるためのキーである。
【００９６】
ここでは、基本設定タブ画面に対応するタブＴＢ１１が押下されており、表示エリアＡＲ１には、基本設定タブ画面に含まれる設定項目である「原稿の向き」、「原稿サイズ」、「用紙サイズ」、「ズーム」、「配置トレイ」、「用紙種類」、および「出力方法」などが表示されている。表示エリアＡＲ１では「出力方法」が選択されている。表示エリアＡＲ２には、選択設定項目である「印刷種類」、「原稿サイズ」、「用紙サイズ」、「部数」、および「カラー選択」が、この優先度で上から下に並んで表示されている。表示エリアＡＲ２では「部数」が選択されている。なお、印刷種類は、両面印刷または片面印刷の設定を受け付ける設定項目である。
【００９７】
キーＫＹ１５は、集約タブ画面の編集画面ＳＣ２で設定された内容を確定するためのＯＫキーである。
【００９８】
キーＫＹ１６は、集約タブ画面の編集画面ＳＣ２で設定された内容をキャンセルするためのキャンセルキーである。
【００９９】
キーＫＹ１７は、選択設定項目の種類の設定および集約タブ画面における選択設定項目の優先度の設定をデフォルトに戻すためのキーである。
【０１００】
キーＫＹ１８は、操作方法の説明を表示するためのヘルプキーである。
【０１０１】
ユーザーは、集約タブ画面の編集画面ＳＣ２を通じて、自らの使用頻度が高い設定項目を選択設定項目として設定する。またユーザーは、自らの使用頻度が高い順序となるように、選択設定項目に対して集約タブ画面における表示の優先度を設定する。
【０１０２】
ＰＣ１００は、キーＫＹ１５が押下された場合に、集約タブ画面の編集画面ＳＣ２での設定内容に従って集約タブ画面テーブルＴＬ２を更新する。
【０１０３】
図６は、本発明の一実施の形態において記憶装置１０４が記憶する集約タブ画面テーブルＴＬ２を示す図である。なお、基本画面における表示の優先度に「低」の表記のある設定項目は、基本画面における表示の優先度に「低」の表記の無い設定項目よりも優先度が低いものとする。
【０１０４】
図６を参照して、集約タブ画面テーブルＴＬ２は、複数の選択設定項目と、複数の選択設定項目の各々の集約タブ画面における表示の優先度との関係が記載されたテーブルである。集約タブ画面テーブルＴＬ２には、選択設定項目の各々についての、集約タブ画面における表示の優先度、基本画面における表示の優先度、選択設定項目が属する基本画面の種類、および選択設定項目が使用された回数の各々の情報が記載されている。
【０１０５】
ここでは、集約タブ画面に含まれる選択設定項目として、「印刷種類」、「原稿サイズ」、「用紙サイズ」、「部数」、および「カラー選択」の各々が記載されている。一例として、「印刷種類」という選択設定項目については、集約タブ画面における表示の優先度は「１」であり、基本画面における表示の優先度は「低１」であり、属する基本画面の種類は「レイアウト」タブ画面であり、使用された回数は「１５２」回となっている。
【０１０６】
ところで、選択設定項目として選択された設定項目については、ユーザーは通常、集約タブ画面を通じて使用するため、基本画面を通じて使用することは希である。
【０１０７】
そこでＰＣ１００は、集約タブ画面テーブルＴＬ２を更新する場合に、選択設定項目である設定項目の基本画面における表示の優先度を、選択設定項目でない設定項目の基本画面における表示の優先度よりも低く設定する。またＰＣ１００は、集約タブ画面における表示の優先度とは逆の順序になるように、選択設定項目の基本画面における表示の優先度を設定する。設定された基本画面における表示の優先度は、集約タブ画面テーブルＴＬ２に記載される。
【０１０８】
これにより、一つの基本画面に配置される複数の設定項目を比較した場合に、選択設定項目である設定項目の基本画面における表示の優先度よりも、選択設定項目でない設定項目の基本画面における表示の優先度の方が高くなる。その結果、基本画面において、選択設定項目である設定項目よりも、選択設定項目でない設定項目を、ユーザーの目に付きやすい位置に配置することができる。
【０１０９】
ここでは、「印刷種類」、「原稿サイズ」、「用紙サイズ」、「部数」、および「カラー選択」の各々の集約タブ画面における表示の優先度はこの順序で高くなっている。一方で、「印刷種類」、「原稿サイズ」、「用紙サイズ」、「部数」、および「カラー選択」の各々の基本画面における表示の優先度は、選択設定項目でない設定項目よりも低く設定されている。「印刷種類」、「原稿サイズ」、「用紙サイズ」、「部数」、および「カラー選択」の各々の基本画面における表示の優先度は、「カラー選択」、「部数」、「用紙サイズ」、「原稿サイズ」、「印刷種類」という順序で高くなっており、集約タブ画面における表示の優先度の順序とは逆の順序となっている。
【０１１０】
なお、ＰＣ１００は、各設定項目の使用頻度を記録し、記録した使用頻度に基づいて集約タブ画面テーブルＴＬ２を変更してもよい。一例として、ＰＣ１００は、各設定画面に配置される設定項目の使用回数（その設定項目の印刷条件の設定値が変更された回数）をカウントし、使用回数の多い設定項目を選択設定項目として追加したり、集約タブ画面における表示の優先度を高くしたりしてもよい。またＰＣ１００は、使用回数の少ない設定項目を選択設定項目から除外したり、集約タブ画面における表示の優先度を低くしたりしてもよい。
【０１１１】
図７は、本発明の一実施の形態の集約タブ画面における選択設定項目の配置形式の設定と、選択設定項目が配置される位置との関係を示す図である。
【０１１２】
図６および図７を参照して、ＰＣ１００は、集約タブ画面を表示する場合、配置形式テーブルＴＬ１に記載されている集約タブ画面の配置形式に従って、集約タブ画面テーブルＴＬ２に記載されている集約タブ画面における表示の優先度で選択設定項目を表示する。
【０１１３】
すなわち、集約タブ画面テーブルＴＬ２に記載されている集約タブ画面における表示の優先度が「印刷種類」、「原稿サイズ」、「用紙サイズ」、「部数」、および「カラー選択」の順序で高い場合において、配置形式テーブルＴＬ１に記載されている集約タブ画面の配置形式が左上、右上、左下、右下であるときは、図７（ａ）に示すように、「印刷種類」、「原稿サイズ」、「用紙サイズ」、「部数」、および「カラー選択」の選択設定項目は、１段目の左側、１段目の右側、２段目の左側、２段目の右側、３段目の左側という順序で配置される。また、集約タブ画面の配置形式が左上、左下、右上、右下であるときは、図７（ｂ）に示すように、「印刷種類」、「原稿サイズ」、「用紙サイズ」、「部数」、および「カラー選択」の選択設定項目は、１段目の左側、２段目の左側、３段目の左側、１段目の右側、２段目の右側という順序で配置される。
【０１１４】
なお、基本画面における設定項目の配置形式の設定と、設定項目が配置される位置との関係も、上述の関係と同様である。
【０１１５】
図８は、本発明の一実施の形態において、ＰＣ１００の表示部１０７に表示される集約タブ画面ＳＣ３を示す図である。図８では、集約タブ画面の配置形式が左上、左下、右上、右下である場合が示されている。
【０１１６】
図８を参照して、集約タブ画面ＳＣ３は、「印刷種類」の設定を受け付けるコンボボックスＣＢ１と、「原稿サイズ」の設定を受け付けるコンボボックスＣＢ２と、「用紙サイズ」の設定を受け付けるコンボボックスＣＢ３と、「部数」の設定を受け付けるコンボボックスＣＢ４と、「カラー選択」の設定を受け付けるコンボボックスＣＢ５と、キーＫＹ３、ＫＹ４、ＫＹ５（ここではグレーアウトされて押下不可能となっている）、ＫＹ６、ＫＹ７、およびＫＹ８とを含んでいる。コンボボックスＣＢ１、ＣＢ２、ＣＢ３、ＣＢ４、およびＣＢ５の各々は、集約タブ画面ＳＣ３内において左上、左下、右上、右下という順序で配置されている。
【０１１７】
キーＫＹ７は、集約タブ画面の編集画面ＳＣ２への移行を受け付ける。
【０１１８】
キーＫＹ８は、プリンタードライバー１２０の画面を通じて行った印刷条件の設定値をデフォルトに戻すためのキーである。
【０１１９】
集約タブ画面ＳＣ３では、集約タブ画面における表示の優先度が最も高い「印刷種類」が、最もユーザーの目に付きやすい位置に配置されており、集約タブ画面における表示の優先度が最も低い「カラー選択」が、最もユーザーの目に付きにくい位置に配置されている。
【０１２０】
［関連項目の設定を受け付ける際の動作］
【０１２１】
次に、関連項目の設定を受け付ける際のＰＣ１００の動作について説明する。
【０１２２】
図９は、本発明の一実施の形態において、ＰＣ１００の表示部１０７に表示される関連項目の編集画面ＳＣ４を示す図である。
【０１２３】
図９を参照して、関連項目の編集画面ＳＣ４は、その他タブ画面ＳＣ１においてキーＫＹ２が押下された場合に表示される画面である。関連項目の編集画面ＳＣ４は、任意の設定項目をグループ内で互いに関連付ける設定を受け付ける画面である。関連項目とは、ある設定項目に関連付けられた設定項目である。関連項目の編集画面ＳＣ４は、タブＴＢ２１、ＴＢ２２、ＴＢ２３、ＴＢ２４、ＴＢ２５、およびＴＢ２６と、表示エリアＡＲ３と、ボックスＢＸ１、ＢＸ２、およびＢＸ３と、キーＫＹ２１、ＫＹ２２、ＫＹ２３、ＫＹ２４、およびＫＹ２５とを含んでいる。
【０１２４】
タブＴＢ２１、ＴＢ２２、ＴＢ２３、ＴＢ２４、ＴＢ２５、およびＴＢ２６は、対応する基本画面に配置される設定項目を表示エリアＡＲ３に表示するためのタブである。タブＴＢ２１、ＴＢ２２、ＴＢ２３、ＴＢ２４、ＴＢ２５、およびＴＢ２６の各々は、それぞれ基本設定タブ画面、レイアウトタブ画面、仕上げタブ画面、カバーシート／挿入紙タブ画面、スタンプ／ページ印字タブ画面、および画像品質タブ画面に対応している。
【０１２５】
表示エリアＡＲ３は、関連項目に関する設定の候補となる設定項目が表示されるエリアである。表示エリアＡＲ３に表示される設定項目は、スクロールバーＳＢ２によってスクロールすることが可能である。表示エリアＡＲ３に表示された設定項目は、選択することが可能である。また表示エリアＡＲ３には、関連項目に設定されている設定項目については、設定項目が属するグループ名および設定項目のグループ内の優先度が表示される。
【０１２６】
ボックスＢＸ１には、表示エリアＡＲ３において選択されている設定項目の種類が表示されるボックスである。
【０１２７】
ボックスＢＸ２は、表示エリアＡＲ３において選択されている設定項目のグループ名の入力を受け付けるボックスである。表示エリアＡＲ３において選択されている設定項目がグループに属している場合には、ボックスＢＸ２にはそのグループ名が表示される。表示エリアＡＲ３において選択されている設定項目がグループに属していない場合には、ボックスＢＸ２は空欄となる。
【０１２８】
ボックスＢＸ３は、表示エリアＡＲ３において選択されている設定項目のグループ内での優先度の入力を受け付けるコンボボックスである。表示エリアＡＲ３において選択されている設定項目がグループに属している場合には、ボックスＢＸ３にはそのグループ内での優先度が表示される。表示エリアＡＲ３において選択されている設定項目がグループに属していない場合には、ボックスＢＸ３は空欄となる。
【０１２９】
ここでは、レイアウトタブ画面に対応するタブＴＢ２２が押下されており、表示エリアＡＲ３には、レイアウトタブ画面に含まれる設定項目である「ページ割付」、「１８０度回転」、「白紙抑制」、「章分け」、「印刷種類」、「開き方向／とじ方向」、および「とじしろ」などが表示されている。「ページ割付」および「白紙抑制」は、「用紙節約」というグループに属しており、「ページ割付」および「白紙抑制」のグループ内での優先度は、それぞれ「優先２」および「優先３」である。なお、図９の関連項目の編集画面ＳＣ４には表示されていないが、「用紙節約」というグループには「印刷種類」の設定項目がさらに属しており、「印刷種類」のグループ内での優先度は「優先１」である。
【０１３０】
表示エリアＡＲ３では「ページ割付」が選択されている。ボックスＢＸ１には「ページ割付」が表示されており、ボックスＢＸ２には「用紙節約」というグループ名が表示されており、このグループ名は変更可能な状態になっている。ボックスＢＸ３には「優先２」というグループ内での優先度が表示されており、この優先度は変更可能な状態になっている。
【０１３１】
キーＫＹ２１は、ボックスＢＸ１、ＢＸ２、およびＢＸ３に入力された内容を表示エリアＡＲ３内に反映させるためのキーである。
【０１３２】
キーＫＹ２２は、関連項目の編集画面ＳＣ４で設定された内容を確定するためのＯＫキーである。
【０１３３】
キーＫＹ２３は、関連項目の編集画面ＳＣ４で設定された内容をキャンセルするためのキャンセルキーである。
【０１３４】
キーＫＹ２４は、関連項目の設定内容をデフォルト（ここでは、関連項目の設定が何も無い状態）に戻すためのキーである。
【０１３５】
キーＫＹ２５は、操作方法の説明を表示するためのヘルプキーである。
【０１３６】
ユーザーは、関連項目の編集画面ＳＣ４を通じて、任意の目的の印刷条件を設定するための設定項目を１つのグループとして設定する。グループ名としてはその目的が設定される。
【０１３７】
ＰＣ１００は、キーＫＹ２２が押下された場合に、受け付けた関連項目の設定に基づいて関連項目テーブルＴＬ３を更新する。
【０１３８】
図１０は、本発明の一実施の形態において記憶装置１０４が記憶する関連項目テーブルＴＬ３を示す図である。
【０１３９】
図１０を参照して、関連項目テーブルＴＬ３は、互いに関連付けられた複数の設定項目が記載されたテーブルである。関連項目テーブルＴＬ３には、グループ名、グループに属する設定項目の種類、およびグループに属する設定項目のグループ内での相互の優先度の情報が記載されている。
【０１４０】
ここでは、「用紙節約」および「製本」というグループが設定されている。「用紙節約」というグループには、印刷に使用する用紙を節約するための印刷条件の設定を受け付ける設定項目である「印刷種類」、「ページ割付」、および「白紙抑制」の設定項目が属しており、これらの設定項目は互いに関連付けられている。「用紙節約」というグループ内での優先度は「印刷種類」、「ページ割付」、および「白紙抑制」という順序で高くなっている。
【０１４１】
「製本」というグループには、製本を行うための印刷条件の設定を受け付ける設定項目である「原稿サイズ」、「ステープル」、および「イメージ圧縮」の設定項目が属しており、これらの設定項目は互いに関連付けられている。「製本」というグループ内での優先度は「原稿サイズ」、「ステープル」、および「イメージ圧縮」という順序で高くなっている。
【０１４２】
ＰＣ１００は、集約タブ画面テーブルＴＬ２および関連項目テーブルＴＬ３のうち少なくともいずれか一方が更新された場合に、集約タブ画面テーブルＴＬ２および関連項目テーブルＴＬ３に基づいて関連項目優先度テーブルＴＬ４を更新する。
【０１４３】
図１１は、本発明の一実施の形態において記憶装置１０４が記憶する関連項目優先度テーブルＴＬ４を示す図である。なお、基本画面における表示の優先度に「高」の表記のある設定項目は、基本画面における表示の優先度に「高」の表記の無い設定項目よりも優先度が高いものとする。
【０１４４】
図６、図１０、および図１１を参照して、関連項目優先度テーブルＴＬ４は、選択設定項目と、選択設定項目の関連項目（その選択設定項目と同一グループに属する設定項目）の基本画面における表示の優先度との関係が記載されたテーブルである。関連項目優先度テーブルＴＬ４には、選択設定項目、選択設定項目の関連項目、関連項目の基本画面における表示の優先度、および関連項目が含まれる基本画面の種類の各々の情報が記載されている。
【０１４５】
ここでは、選択設定項目として、「印刷種類」、「原稿サイズ」、および「用紙サイズ」の各々が記載されている。選択設定項目のうち「部数」および「カラー選択」は関連項目が存在しないため、関連項目優先度テーブルＴＬ４には記載されていない。一例として、「原稿サイズ」の関連項目である「ステープル」については、基本画面における表示の優先度は「高３」であり、属する基本画面の種類は「仕上げ」タブ画面である。
【０１４６】
ＰＣ１００は、関連項目優先度テーブルＴＬ４を更新する場合に、集約タブ画面における選択設定項目の表示の優先度に従って関連項目を上から下に並べ、１つの選択設定項目の関連項目については、グループ内での優先度に従って上から下に並べる。そしてＰＣ１００は、関連項目優先度テーブルＴＬ４に含まれる関連項目の各々に対して、上から順番に「高１」、「高２」、「高３」・・・という基本画面の表示の優先度を設定する。つまり、ＰＣ１００は、選択設定項目と関連する設定項目の基本画面における表示の優先度を上げる。
【０１４７】
これにより、関連項目のグループに属する設定項目が選択設定項目である場合に、そのグループに属する他の設定項目の基本画面における表示の優先度が高くなる。その結果、使用頻度の高い設定項目に関連する設定項目を、基本画面においてユーザーの目に付きやすい位置に配置することができる。ここでは、ユーザーは用紙節約の意識が高いものと推測されるので、用紙節約に関係する「ページ割付」および「白紙抑制」の基本画面における表示の優先度が高くなり、これらの設定項目をレイアウトタブ画面においてユーザーの目に付きやすい位置に配置することができる。
【０１４８】
集約タブ画面における表示の優先度が最も高い「印刷種類」の関連項目である「ページ割付」および「白紙抑制」の各々には、「高１」および「高２」という基本画面の表示の優先度が設定される。「用紙節約」というグループ内での優先度は「白紙抑制」よりも「ページ割付」の方が高いため、基本画面の表示の優先度も「ページ割付」の方が高く設定される。
【０１４９】
さらに、集約タブ画面における表示の優先度が２番目に高い「原稿サイズ」の関連項目である「ステープル」および「イメージ圧縮」の各々に「高３」および「高４」という基本画面の表示の優先度が設定されている。「製本」というグループ内での優先度は「イメージ圧縮」よりも「ステープル」の方が高いため、基本画面の表示の優先度も「ステープル」の方が高く設定されている。これにより、使用頻度の高い「原稿サイズ」に関連する「ステープル」および「イメージ圧縮」の各々を、「仕上げ」タブ画面および「画像品質」タブ画面の各々においてユーザーの目に付きやすい位置に配置することができる。
【０１５０】
ＰＣ１００は、関連項目優先度テーブルＴＬ４が更新された場合（選択設定項目が変更された場合）に、集約タブ画面テーブルＴＬ２および関連項目優先度テーブルＴＬ４に基づいて基本画面テーブルＴＬ５を更新する。
【０１５１】
図１２は、本発明の一実施の形態において記憶装置１０４が記憶する基本画面テーブルＴＬ５を示す図である。なお、ここではレイアウトタブ画面の基本画面テーブルＴＬ５について説明するが、記憶装置１０４は、基本設定タブ画面、レイアウトタブ画面、仕上げタブ画面、カバーシート／挿入紙タブ画面、スタンプ／ページ印字タブ画面、および画像品質タブ画面の各基本画面についての基本画面テーブルＴＬ５を記憶している。
【０１５２】
図６、図１１、および図１２を参照して、基本画面テーブルＴＬ５は、基本画面に配置される複数の設定項目と、基本画面に配置される複数の設定項目の各々の基本画面における表示の優先度との関係が記載されたテーブルである。基本画面テーブルＴＬ５では、その基本画面に含まれる複数の設定項目が、基本画面における表示の優先度の互い順に上から下に並んでいる。
【０１５３】
基本画面に含まれる設定項目のうち、基本画面における表示の優先度に「高」および「低」の表記の無い設定項目を、その他の項目と記す（その他の項目の基本画面における表示の優先度は、デフォルトとなっている）。ＰＣ１００は、関連項目優先度テーブルＴＬ４において、「高」の表記のある優先度（選択設定項目の関連項目に該当する設定項目の優先度）が「高」の表記の無い優先度（その他の項目の優先度）よりも低いものと判断し、「低」の表記のある優先度（選択設定項目の優先度）が「低」の表記の無い優先度よりも低いものと判断する。
【０１５４】
ここでは、「ページ割付」および「白紙抑制」は、関連項目優先度テーブルＴＬ４において「高１」および「高２」という優先度が設定されているため、その他の設定項目よりも高い優先度となっている。一方、「印刷種類」は、集約タブ画面テーブルＴＬ２において「低１」という優先度が設定されているため、その他の設定項目よりも低い優先度となっている。
【０１５５】
ＰＣ１００は、基本画面を表示する場合、配置形式テーブルＴＬ１に記載されている基本画面の配置形式に従って、基本画面テーブルＴＬ５に記載されている基本画面の高い順に設定項目を表示する。
【０１５６】
図１３は、本発明の一実施の形態において、ＰＣ１００の表示部１０７に表示されるレイアウトタブ画面ＳＣ５を示す図である。図１３では、基本画面の配置形式が左上、左下、右上、右下である場合が示されている。
【０１５７】
図１３を参照して、レイアウトタブ画面ＳＣ５は、「ページ割付」の設定を受け付けるチェックボックスＣＫ１１と、「白紙抑制」の設定を受け付けるチェックボックスＣＫ１２と、「１８０度回転」の設定を受け付けるチェックボックスＣＫ１３と、「章分け」の設定を受け付けるチェックボックスＣＫ１４と、「開き方向／とじ方向」の設定を受け付けるコンボボックスＣＢ１１と、「とじしろ」の設定を受け付けるチェックボックスＣＫ１５と、「画像シフト」の設定を受け付けるチェックボックスＣＫ１６と、「印刷種類」の設定を受け付けるコンボボックスＣＢ１２と、キーＫＹ３、ＫＹ４、ＫＹ５、ＫＹ６、およびＫＹ８とを含んでいる。チェックボックスＣＫ１１、ＣＫ１２、ＣＫ１３、およびＣＫ１４、コンボボックスＣＢ１１、チェックボックスＣＫ１５およびＣＫ１６、ならびにコンボボックスＣＢ１２の各々は、レイアウトタブ画面ＳＣ５内において左上、左下、右上、右下という順序で配置されている。
【０１５８】
レイアウトタブ画面ＳＣ５では、使用頻度の高い「印刷種類」に関連する「ページ割付」（チェックボックスＣＫ１１）および「白紙抑制」（チェックボックスＣＫ１２）の各々が、レイアウトタブ画面においてユーザーの目に付きやすい位置に配置されている。一方、集約タブ画面ＳＣ３で使用される機会の多い「印刷種類」（コンボボックスＣＢ１２）をレイアウトタブ画面においてユーザーの目に付きにくい位置に配置することで、その他の項目（チェックボックスＣＫ１３、ＣＫ１４、ＣＫ１５、およびＣＫ１６、ならびにコンボボックスＣＢ１１）がレイアウトタブ画面においてユーザーの目に付きやすい位置に配置されている。
【０１５９】
但し、基本画面における設定項目の配置位置をデフォルトの位置に固定する配置形式が設定されている場合には、ＰＣ１００は、基本画面テーブルＴＢ５を用いずに、設定項目をデフォルトの順序で基本画面に表示する。
【０１６０】
なお、ＰＣ１００は、集約タブ画面ＳＣ３における選択設定項目の配置の状態に基づいて、基本画面において設定項目が配置される位置を決定すればよい。この場合、集約タブ画面ＳＣ３における選択設定項目の配置の状態は、選択設定項目の種類および集約タブ画面ＳＣ３に配置される選択設定項目の位置のうち少なくともいずれか一方を含むことが好ましい。
【０１６１】
［ＰＣの動作を示すフローチャート］
【０１６２】
続いて、ＰＣ１００の動作を示すフローチャートについて説明する。
【０１６３】
図１４は、本発明の一実施の形態におけるＰＣ１００の動作を示すフローチャートである。このフローチャートは、プリンタードライバー１２０のプログラムをＣＰＵ１０１が実行することにより実現される。
【０１６４】
図１４を参照して、ＣＰＵ１０１は、その他タブ画面ＳＣ１を通じて、集約タブ画面および基本画面のうち少なくとも一方における設定項目の配置形式の設定の変更を受け付けたか否かを判別する（Ｓ１）。
【０１６５】
ステップＳ１において、集約タブ画面および基本画面のうち少なくとも一方における設定項目の配置形式の設定の変更を受け付けたと判別した場合（Ｓ１でＹＥＳ）、ＣＰＵ１０１は、配置形式テーブルＴＬ１を更新し（Ｓ３）、ステップＳ５の処理へ進む。
【０１６６】
ステップＳ１において、集約タブ画面および基本画面における設定項目の配置形式の設定の変更を受け付けないと判別した場合（Ｓ１でＮＯ）、ＣＰＵ１０１はステップＳ５の処理へ進む。
【０１６７】
ステップＳ５において、ＣＰＵ１０１は、集約タブ画面の編集画面ＳＣ２を通じて、選択設定項目の種類の設定の変更を受け付けたか否かを判別する（Ｓ５）。
【０１６８】
ステップＳ５において、選択設定項目の種類の設定の変更を受け付けないと判別した場合（Ｓ５でＮＯ）、ＣＰＵ１０１は、集約タブ画面の編集画面ＳＣ２を通じて、選択設定項目の集約タブ画面における表示の優先度の設定の変更を受け付けたか否かを判別する（Ｓ７）。
【０１６９】
ステップＳ５において、選択設定項目の種類の設定の変更を受け付けたと判別した場合（Ｓ５でＹＥＳ）、またはステップＳ７において、選択設定項目の集約タブ画面における表示の優先度の設定の変更を受け付けたと判別した場合（Ｓ７でＹＥＳ）、ＣＰＵ１０１は、集約タブ画面テーブルＴＬ２を更新し（Ｓ９）、ステップＳ１５の処理へ進む。
【０１７０】
ステップＳ７において、選択設定項目の集約タブ画面における表示の優先度の設定の変更を受け付けないと判別した場合（Ｓ７でＮＯ）、ＣＰＵ１０１は、関連項目の編集画面ＳＣ４を通じて、関連項目の設定の変更を受け付けたか否かを判別する（Ｓ１１）。
【０１７１】
ステップＳ１１において、関連項目の設定の変更を受け付けたと判別した場合（Ｓ１１でＹＥＳ）、ＣＰＵ１０１は、関連項目テーブルＴＬ３を更新し（Ｓ１３）、ステップＳ１５の処理へ進む。
【０１７２】
ステップＳ１５において、ＣＰＵ１０１は、集約タブ画面テーブルＴＬ２および関連項目テーブルＴＬ３に基づいて、関連項目優先度テーブルＴＬ４を更新する（Ｓ１５）。続いてＣＰＵ１０１は、関連項目優先度テーブルＴＬ４に基づいて、基本画面テーブルＴＬ５を更新し（Ｓ１７）、ステップＳ１９の処理へ進む。
【０１７３】
ステップＳ１１において、関連項目の設定の変更を受け付けないと判別した場合（Ｓ１１でＮＯ）、ＣＰＵ１０１はステップＳ１９の処理へ進む。
【０１７４】
ステップＳ１９において、ＣＰＵ１０１は、設定画面（集約タブ画面または基本画面）を表示する操作が行われたか否かを判別する（Ｓ１９）。
【０１７５】
ステップＳ１９において、設定画面を表示する操作が行われたと判別した場合（Ｓ１９でＹＥＳ）、ＣＰＵ１０１は、必要なテーブルを参照し（Ｓ２１）、設定項目を表示し（Ｓ２３）、処理を終了する。ステップＳ２１において、集約タブ画面を表示する操作を行われた場合には、配置形式テーブルＴＬ１および集約タブ画面テーブルＴＬ２が参照され、基本画面を表示する操作を行われた場合には、配置形式テーブルＴＬ１および表示する基本画面に関する基本画面テーブルＴＬ５が参照される。
【０１７６】
ステップＳ１９において、設定画面を表示する操作が行われないと判別した場合（Ｓ１９でＮＯ）、ＣＰＵ１０１は処理を終了する。
【０１７７】
［実施の形態の効果］
【０１７８】
上述の実施の形態によれば、選択設定項目に基づいて、選択設定項目以外の設定項目についての基本画面における表示位置を設定することができる。ある設定項目が選択設定項目として選択された場合に、その設定項目との間で目的（用紙節約や製本など）が共通する設定項目を、基本画面においてユーザーの目に付きやすい位置に配置することができる。その結果、ユーザーは集約タブ画面に配置するまでもない設定項目についても容易に見つけることができ、利便性を向上することができる。
【０１７９】
［その他］
【０１８０】
関連項目の設定は、ユーザーが行う代わりにＰＣ１００が行っていてもよい。この場合、ＰＣ１００は、デフォルトの関連項目を記載した関連項目テーブルＴＬ３を記憶していてもよい。
【０１８１】
上述の実施の形態における処理は、ソフトウェアにより行っても、ハードウェア回路を用いて行ってもよい。また、上述の実施の形態における処理を実行するプログラムを提供することもできるし、そのプログラムをＣＤ−ＲＯＭ、フレキシブルディスク、ハードディスク、ＲＯＭ、ＲＡＭ、メモリカードなどの記録媒体に記録してユーザーに提供することにしてもよい。プログラムは、ＣＰＵなどのコンピューターにより実行される。また、プログラムはインターネットなどの通信回線を介して、装置にダウンロードするようにしてもよい。
【０１８２】
上述の実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１８３】
１００  ＰＣ（Ｐｅｒｓｏｎａｌ  Ｃｏｍｐｕｔｅｒ）（表示装置の一例）
１０１  ＣＰＵ（Ｃｅｎｔｒａｌ  Ｐｒｏｃｅｓｓｉｎｇ  Ｕｎｉｔ）
１０２  ＲＯＭ（Ｒｅａｄ  Ｏｎｌｙ  Ｍｅｍｏｒｙ）
１０３  ＲＡＭ（Ｒａｎｄｏｍ  Ａｃｃｅｓｓ  Ｍｅｍｏｒｙ）
１０４  記憶装置
１０５  通信部
１０６  操作部
１０７  表示部
１２０  プリンタードライバー
１２１  印刷条件提供部
１２２  印刷データ生成部
１３１  表示制御部
１３２  集約タブ画面テーブル管理部
１３３  関連項目テーブル管理部
１３４  関連項目優先度テーブル管理部
１３５  基本画面テーブル管理部
１３６  配置形式記憶部
１３７  入力受付部
３００  ネットワーク
ＡＲ１，ＡＲ２，ＡＲ３  表示エリア
ＢＸ１，ＢＸ２，ＢＸ３  ボックス
ＣＢ１，ＣＢ２，ＣＢ３，ＣＢ４，ＣＢ５，ＣＢ１１，ＣＢ１２  コンボボックス
ＣＫ１１，ＣＫ１２，ＣＫ１３，ＣＫ１４，ＣＫ１５，ＣＫ１６  チェックボックス
ＫＹ１，ＫＹ２，ＫＹ３，ＫＹ４，ＫＹ５，ＫＹ６，ＫＹ７，ＫＹ８，ＫＹ１１，ＫＹ１２，ＫＹ１３，ＫＹ１４，ＫＹ１５，ＫＹ１６，ＫＹ１７，ＫＹ１８，ＫＹ２１，ＫＹ２２，ＫＹ２３，ＫＹ２４，ＫＹ２５  キー
ＲＢ１，ＲＢ２，ＲＢ３，ＲＢ４，ＲＢ５  ラジオボタン
ＳＢ１，ＳＢ２  スクロールバー
ＳＣ１  その他タブ画面
ＳＣ２  集約タブ画面の編集画面
ＳＣ３  集約タブ画面
ＳＣ４  関連項目の編集画面
ＳＣ５  レイアウトタブ画面
ＴＢ１，ＴＢ２，ＴＢ３，ＴＢ４，ＴＢ５，ＴＢ６，ＴＢ７，ＴＢ８，ＴＢ１１，ＴＢ１２，ＴＢ１３，ＴＢ１４，ＴＢ１５，ＴＢ１６，ＴＢ２１，ＴＢ２２  タブ
ＴＬ１  配置形式テーブル（選択画面配置形式情報および基本画面配置形式情報の一例）
ＴＬ２  集約タブ画面テーブル（選択画面情報の一例）
ＴＬ３  関連項目テーブル（関連項目情報の一例）
ＴＬ４  関連項目優先度テーブル（関連項目優先度情報の一例）
ＴＬ５  基本画面テーブル（基本画面情報の一例）
【図１】
2018194957.tif 000003
【図２】
2018194957.tif 000004
【図３】
2018194957.tif 000005
【図４】
2018194957.tif 000006
【図５】
2018194957.tif 000007
【図６】
2018194957.tif 000008
【図７】
2018194957.tif 000009
【図８】
2018194957.tif 000010
【図９】
2018194957.tif 000011
【図１０】
2018194957.tif 000012
【図１１】
2018194957.tif 000013
【図１２】
2018194957.tif 000014
【図１３】
2018194957.tif 000015
【図１４】
2018194957.tif 000016